(57)【要約】【課題】電子タグが視認され難いティシュペーパー収納体を提供することにある。【解決手段】  天面に取出口形成用の環状の開封用ミシン目が形成されている直六面体形状の紙箱の前記天面の内側面に、スリットを有するシート材をそのスリットが前記裂開用ミシン目で囲まれる範囲内に位置するようにして貼付した収納箱と、この収納箱内に収納されている複数のティシュペーパーからなる束と、を有するティシュペーパー収納体であって、前記紙箱の外面に露出しない部位にパッシブ型の電子タグが取り付けられている、ティシュペーパー収納体により解決される。【選択図】図１
2019189308.tif 000002
【特許請求の範囲】
【請求項１】
天面に取出口形成用の環状の開封用ミシン目が形成されている直六面体形状の紙箱の前記天面の内側面に、スリットを有するシート材をそのスリットが前記裂開用ミシン目で囲まれる範囲内に位置するようにして貼付した収納箱と、この収納箱内に収納されている複数のティシュペーパーからなる束と、を有するティシュペーパー収納体であって、
前記紙箱の外面に露出しない部位に、パッシブ型の電子タグが取り付けられている、ことを特徴とするティシュペーパー収納体。
【請求項２】
電子タグが、紙箱の内面における取出口形成用の環状の開封用ミシン目で囲まれる範囲内に取り付けられ、開封用ミシン目で囲まれる範囲を分離して取り除くと、同時に電子タグが収納箱から分離して取り除かれる、請求項１記載のティシュぺーパー収納体。
【請求項３】
電子タグを被覆して隠蔽する隠蔽シートが設けられている請求項１又は２記載のティシュペーパー収納体。
【請求項４】
電子タグは、ＩＣチップ部とアンテナ部からなり、前記アンテナ部が印刷によって形成されている請求項１〜３の何れか１項に記載のティシュペーパー収納体。
【請求項５】
紙箱の紙層内に電子タグが埋め込まれている、請求項１〜３の何れか１項に記載のティシュペーパー収納体。
【発明の詳細な説明】
【技術分野】
【０００１】
本発明は、電子タグを内蔵したティシュペーパー収納体に関する。
【背景技術】
【０００２】
種々の情報管理が可能なツールとしてＩＣタグとも称される電子タグがある。近年、コンビニエンスストア等の小売業において、取り扱い製品の一つ一つに電子タグを取り付けることが進められている。電子タグを取り付けることで、出荷管理、入荷管理、在庫管理などの業務負担軽減が期待されている。
【０００３】
しかしながら、現在、製品への電子タグの取り付けは、各店舗や各社において商品一つ一つ市販の電子タグを貼り付けており、非常に煩雑な操作となっている。
【０００４】
その一方で、ティシュペーパー収納体のような収納箱が製品外殻をなす製品では、収納箱外面に直接に電子タグが貼り付けられる態様となるため、製品の見栄えが悪くなる問題がある。
【０００５】
特に、ティシュペーパー収納体は、室内等の目の届きやすいところに置かれ比較的長期にわたり使用されることから、収納箱外面に電子タグが貼付される態様が極めて望ましくない。また、ティシュペーパー収納体の収納箱は、一般にコートボール紙を基材としており、製品外面に貼付した電子タグを剥がそうとする、収納箱に印刷された模様を傷つけたり、紙ムケが生じたりして製品外観をより悪化させることになる。このため、店舗等において製品一つ一つ市販の電子タグを貼り付ける煩雑な操作を解消すべく、例えば、製品製造時に電子タグを取り付けようとしても、製品外観を悪化させたり、製品外観の破損が想定されるような箱外面に取りつけることができない。
【０００６】
ところで、収納箱や箱に対して電子タグを取り付けた技術としては、下記特許文献１〜２がある。しかし、特許文献１の技術は、通い箱の積載ミスや紛失防止を行うものであり、特許文献２の技術は、開封されたことを検知するものであり、いずれも小売業において販売される製品の収納体ではなく単に箱の開閉状態を検出するという技術であって、上記の製品の見栄え悪化まで考慮された技術がなかった。
【先行技術文献】
【特許文献】
【０００７】
【特許文献１】特開２０１０−１９５４９２号公報
【特許文献２】特開２０１５−１０１３９１号公報
【発明の概要】
【発明が解決しようとする課題】
【０００８】
他方で、近年、情報通信技術の普及や認知の高まりにより、購入した製品に情報通信機能を有する電子タグが、室内で長期に亘って日常的に使用される物に貼付されていることは望ましくないとの考えから、製品に貼付された電子タグを取り外し廃棄したいという消費者の要望が想定され、電子タグの普及が進められるに伴って電子タグの廃棄性という新たな問題が知見された。
【０００９】
そこで、本発明の主たる課題は、製造が容易でかつ電子タグが視認され難いティシュペーパー収納体を提供することにあり、その他の課題としては電子タグの廃棄性の改善、特に電子タグが使用開始とともに廃棄可能となるティシュペーパー収納体を提供することにある。
【課題を解決するための手段】
【００１０】
上記の課題を解決した第一の手段は、
天面に取出口形成用の環状の開封用ミシン目が形成されている直六面体形状の紙箱の前記天面の内側面に、スリットを有するフィルムをそのスリットが前記裂開用ミシン目で囲まれる範囲内に位置するようにして貼付した収納箱と、この収納箱内に収納されている複数のティシュペーパーからなる束と、を有するティシュペーパー収納体であって、
前記紙箱の外面に露出しない部位に、パッシブ型の電子タグが取り付けられている、ことを特徴とするティシュペーパー収納体である。
【００１１】
第二の手段は、
電子タグが、紙箱の内面における取出口形成用の環状の開封用ミシン目で囲まれる範囲内に取り付けられ、開封用ミシン目で囲まれる範囲を分離して取り除くと、同時に電子タグが収納箱から分離して取り除かれる、上記第一の手段に係るティシュペーパー収納体である。
【００１２】
第三の手段は、電子タグを被覆して隠蔽する隠蔽シートが設けられている上記第一又は第二の手段に係るティシュペーパー収納体である。
【００１３】
第四の手段は、電子タグは、ＩＣチップ部とアンテナ部からなり、前記アンテナ部が印刷によって形成されている上記第一から第三の何れかの手段に係るティシュペーパー収納体である。
【００１４】
第五の手段は、紙箱の紙層内に電子タグが埋め込まれている上記第一から第三の何れかの手段に係るティシュペーパー収納体である。
【発明の効果】
【００１５】
本発明によれば、製造が容易でかつ電子タグが視認され難いティシュペーパー収納体が提供され、さらに電子タグが使用開始とともに廃棄可能となるティシュペーパー収納体が提供される。
【図面の簡単な説明】
【００１６】
【図１】本発明に係るティシュペーパー収納体の斜視図である。
【図２】本発明に係るティシュペーパー収納体の構造を説明するための一部分解の斜視図である。
【図３】本発明に係るティシュペーパー収納体の使用時の斜視図である。
【図４】本発明に係るティシュペーパー収納体の断面図である。
【図５】本発明に係るティシュペーパー収納体の収納箱の展開図である。
【図６】本発明に係る電子タグの取り付け状態を示す平面図である。
【発明を実施するための形態】
【００１７】
次いで、本発明の実施の形態を図１〜６を参照しながら以下に詳述する。
【００１８】
本実施形態に係るティシュペーパー収納体１は、複数枚のティシュペーパー２ｔ，２ｔ…が、折り畳まれ積層されてなるティシュペーパー束２が、天面部１１に環状に閉じた部分を有する取出口形成用ミシン目２０が形成された収納箱１に収納され、使用時に取出口形成用ミシン目２０の裂開により形成される取出口２０Ｘからティシュペーパー２ｔを取り出すと、隣接して積層されている下層のティシュペーパー２ｔの一部が取出口２０Ｘから露出される、所謂ポップアップ形式のものである。
【００１９】
ティシュペーパー束２が収納される収納箱は、紙箱１０とシート材３１とで構成され、カートン箱やカートンとも呼ばれる直六面体の形状であり、収納体１の外殻をなすものである。紙箱１０は、天面部１１に取出口２０Ｘを形成するための取出口形成用ミシン目線２０を有しており、その取出口形成用ミシン目線２０により囲まれる範囲２０ａは、紙箱内側からスリットを有するシート材３１によって覆われている。天面部１１に形成される取出口形成用ミシン目線２０は環状をなし、適宜のカットタイ比で構成されている。取出口形成用ミシン目線２０は、通常のミシン目線の他、二重ミシン目線、ジッパーミシン目線等で構成することができる。一部分のみ二重ミシン目線としてもよい。
【００２０】
本実施形態に係る取出口形成用ミシン目線２０は、紙箱１０の長手方向に延在する長辺２１，２１とこの長辺２１，２１の端同士を繋ぐ短手縁に平行な短辺２２，２２とを有し、取出口形成用ミシン目線２０に囲まれる範囲２０ａの形状は、紙箱１０の長手方向に沿う方向が長い適宜の形状である。一般的には、紙箱１０の長手方向に沿うやや細長い角取り矩形、或いはその矩形の長辺２１，２１の中央部を外方に向かってやや膨張させてアーチ状とし、楕円に近い形状としたものである。図示の形態は後者の例を示している。
【００２１】
他方、本実施形態に係るティシュペーパー収納体１では、上記のとおり取出口形成用ミシン目線２０で囲まれる範囲２０ａが収納箱内面に貼付されたシート材３１によって被覆されている。シート材３１は、取出口形成用ミシン目線２０により囲まれる範囲２０ａより大きく、例えば、矩形や楕円形であり、収納箱天面部の箱内側において、特に取出口形成用ミシン目線２０の切り剥がしに影響がないように、取出口形成用ミシン目線２０に囲まれる範囲２０ａの外側で接着剤４０によって貼付されている。シート材３１におけるスリット３０は、前記取出口形成用ミシン目線２０により囲まれる範囲２０ａで長手方向に沿って位置されており、したがって、特に図１〜図４に示されるように、取出口形成用ミシン目線２０に沿ってその取出口形成用ミシン目線２０で囲まれる範囲２０ａを切り剥がすことにより、天面部１１に取出口２０Ｘが形成されるとともに、前記シート材３１及びスリット３０が取出口２０Ｘを介して露出される。そして、このスリット３０から一枚ずつティシュペーパー２ｔが引き出せるようになる。なおシート材３１は、公知の樹脂製のフィルムや紙が用いられる。
【００２２】
紙箱（収納箱）１０の大きさは、特に限定されないが、公知の多くのティシュペーパー収納体１は長手縁の長さＬ１が１１０〜３２０ｍｍ、短手縁の長さＬ２が７０〜２００ｍｍ、高さＬ３が４０〜１５０ｍｍ程度であり、本実施形態に係る紙箱（収納箱）もこの大きさとすることができる。
【００２３】
本実施形態に係る収納箱１０の構造は、特に図２及び図５に示されるように、底面部１２と一方の長側面部１３を糊代部１２Ａで糊付けして筒状とした後、天面部１１、底面部１２及びこれらを連接する長側面部１３から延出する各フラップＦ１，Ｆ２，Ｆ３を箱内面側に折り返し、各フラップＦ１，Ｆ２，Ｆ３の当接部分をホットメルト接着剤等により接着して短側面部１４を構成した構造となっている。特に、本実施形態の紙箱１０は、長側面部１３からのフラップＦ１を折り返し、底面部１２からのフラップＦ２を折り返して前記長側面部１３からのフラップＦ１に重ね、さらに天面部１１からのフラップＦ３を折り返して、底面部１２からのフラップＦ２に重ねるようにして短側面部１４が形成されている。但し、紙箱１０は、この構造に限定されるわけではない。
【００２４】
紙箱１０に用いられるカートン原紙とも称される収納箱原紙３は、バージンパルプ、古紙パルプ等の各種のパルプ繊維を主原料とする、坪量２５０〜５００ｇ／ｍ2のコートボール紙を基材としたものが挙げられる。
【００２５】
ここで、本実施形態に係るティシュペーパー収納体１は、特徴的に紙箱の外面に露出しない部位として、紙箱内面１０ｉに電子タグ４１が取り付けられている。ティシュペーパー収納体１は、収納箱を構成するスリット３０から一枚ずつティシュペーパー２ｔを引き出すものであるため、通常は、収納箱内に収められているティシュペーパー束２を構成しているティシュペーパー２ｔをすべて使い切るまでは、使用者が意図的に収納箱を開封したり破壊したりすることがなく、紙箱１０の内面１０ｉは視認されることがない。本実施形態に係るティシュペーパー収納体で１は、収納箱を構成する紙箱１０の内面１０ｉに電子タグ４１を取り付けることで、電子タグ４１が視認され難いティシュペーパー収納体１となる。また、ティシュペーパー収納体１におけるティシュペーパー２ｔを使い切ったのちには、紙箱１０を含む収納箱は廃棄されるものとなるため、使用者が電子タグ４１を取り除くなどしたり廃棄してもなんら問題となることがない。また、ティシュペーパー収納体１における紙箱１０は、カートンブランクと称されるカートン原紙を打ち抜いて収納箱展開状態としたものを組み立てて形成されるため、カートンブランク又はカートン原紙の紙箱内面となる一方面に対して、電子タグ４１を接着剤等で貼付したり、予めＩＣチップ部４２とアンテナ部４３とが一体化された電子タグ４１を、一方面が粘着面とされた貼付ラベルの粘着面上に配して、電子タグラベルとしたものを貼付したりすれば、容易に製造することができる。また、カートンブランクやカートン原紙にアンテナ部４３を金属印刷等によってパターン印刷したうえで、ＩＣチップ部４２を適宜のアンテナ部４３と接続される部分に実装するようにしてもよい。この場合には製造が極めて容易になる。
【００２６】
ここで、本実施形態に係る電子タグ４１は、電池を内蔵しないパッシブ型のものである。図６に示すように、ＩＣチップ部４２とアンテナ部４３とを有し、読取装置から発信される第一電波をアンテナ部４３で受信して、第一電波を電力に変換し、ＩＣチップ部４２に電力が供給される。ＩＣチップ部４２は、固有情報を記憶する内部メモリを有しており、第一電波を受信すると、ＩＣチップ部４２が、アンテナ部４３を制御して、固有情報の第二電波を発信する。この第二電波を読取装置が受信する。電子タグ４１の厚みは、最も厚みのあるＩＣチップ部４２においても１．０ｍｍ以下であり、ティシュペーパー収納体１の紙箱内面１０ｉに取り付けてもティシュペーパー２ｔの引き出し性が問題となることはない。
【００２７】
ただし、上記のとおりティシュペーパー収納体１は、紙箱１０が、天面部１１に取出口２０Ｘを形成するための取出口形成用ミシン目線２０を有しており、またその取出口形成用ミシン目線２０により囲まれる範囲２０ａは、収納箱内側１０ｉからスリットを有するシート材３１によって覆われており、この取出口形成用ミシン目線２０により囲まれる範囲２０ａは、使用開始時に切剥がして廃棄する部分であるため、この取出口形成用ミシン目線２０により囲まれる範囲２０ａの箱内面側に、電子タグを取り付けるのが望ましい。この位置であれば、電子タグ４１がティシュペーパー収納体１の使用開始と同時に廃棄される。したがって、ティシュペーパー収納体１に電子タグ４１における種々の利点を付加できつつ、使用者に電子タグ４１の存在を意識させることがないものとなるか、又は、電子タグ４１が使用中に収納体１に存在し続けない安心感を与えるものとなるうえ、ティシュペーパー２ｔの引き出し性に何ら影響を与えない。なお、取出口形成用ミシン目線２０により囲まれる範囲２０ａの箱内面側に電子タグを取り付けるには、カートンブランクを形成する際の特にシート材を貼付する前又はシート材を貼付すると同時に電子タグを当該位置に取りつけるようにすればよい。
【００２８】
他方、ＩＣチップ部４２は、箱内面１０ｉからわずかに凸となるためシート材３１に形成されたスリット３０と重なる位置にあると、輸送時等にティシュペーパー収納体１の天面部側が下方となった際などに、シート材３１のスリット３０の縁がＩＣチップ部４２とティシュペーパー束２によって挟まれ、その状態でティシュペーパー束２が動いた場合に、スリット３０の縁がＩＣチップ部４２と擦れるなどしてスリット３０の縁が粗くなったり、スリット３０の縁がＩＣチップ部４２に引っ掛かりスリット３０が開いた状態で癖になるおそれがある。このため取出口形成用ミシン目線２０により囲まれる範囲２０ａの箱内面側に、電子タグ４１を取り付けるならば、ＩＣチップ部４２がシート材３０に形成されたスリット３０と重ならない位置、好適にはスリットから３ｍｍ以上、より好適には５ｍｍ以上離間した位置になるように電子タグを配するのが望ましい。  さらに、使用者が電子タグ４１が取り付けられていることをより意識し難いものとすべく電子タグ４１を被覆して隠蔽する隠蔽シート４４を設けるのが望ましい。例えば、図６に示すように、紙箱内面１０ｉの電子タグ取り付け部分を、不透明で透視不可の紙又は樹脂製のシート材４４で被覆して隠蔽するようにすればよい。この場合、例えば、隠蔽シート４４を紙箱内面１０ｉと同様の素材や色としたり、紙箱内面１０ｉの電子タグ４１が取り付けられている面全体を被覆するようにすることで、隠蔽シート４４の存在が目立ちがたくなりより望ましい。電子タグ４１を取出口形成用ミシン目線２０により囲まれる範囲２０ａに取り付けるとともに、隠蔽シート４４で隠蔽すると使用者に特に電子タグ４１の存在を認識することなく無意識のうちに電子タグを廃棄させやすくなる。  また、収納箱の構成要素である紙箱１０を積層構造として、その紙層内に電子タグ４１を埋め込むようにしてもよい。紙箱１０を層構造とするには、紙箱１０となるカートン原紙を多層抄きとして、一層目の湿紙上に電子タグを配置した後に二層目の湿紙を配するようにして形成すればよい。但し、カートンブランクやカートン原紙を、一部又は全部が乾紙を接着剤等でラミネートした積層構造として、これを組み立てて紙箱を形成するようにし、上記ラミネート前の乾紙の積層内面となる面に電子タグを貼り付けるようにすれば容易に紙層内に電子タグを位置せしめることができるため望ましい。紙層内に電子タグが埋め込まれていると、使用者が電子タグ４１をほとんど意識しない収納体となる。
【００２９】
また、上述のとおり収納箱１０を各フラップＦ１，Ｆ２，Ｆ３の当接部分をホットメルト接着剤等により接着して短側面部１４を構成した構造とするのであれば、電子タグ４１をフラップ間に位置させてもよい。この位置に取り付けてもティシュペーパー収納体の使用中に電子タグの存在を意識することがない。この場合、例えば、長側面部１３から延出するフラップＦ１、底面部から延在するフラップＦ２に電子タグを貼付し、その貼付位置に天面部から延在するフラップＦ３を重ねるように配すればよい。
【００３０】
また、電子タグ４１が、収納箱１０の底面部１２の内面側の特に短側面１４の近傍１２Ｂ、すなわち、底面部１２から延在するフラップＦ２の近傍１２Ｂに配されていると製造がしやすい。すなわち、ティシュペーパー収納体１は、底面部１２と一方の長側面部１３を糊代部１２Ａで糊付けして筒状とした収納箱前駆体を予め形成し、その収納箱前駆体の各フラップを閉じる前の開口部からティシュペーパー束２を挿入し、その後に各フラップＦ１，Ｆ２，Ｆ３を封止する工程を採ることが一般的である。したがって、各フラップ部Ｆ１，Ｆ２，Ｆ３を封止する筒状の収納箱前駆体に対して貼付物を貼付する場合には、シート材３１が存在しない底面部１２の内面側の特に短側面１４の近傍１２Ｂが貼付しやすい位置となる。よって、収納箱２の底面部１２の内面側の特に短側面近傍１２Ｂに電子タグ４１が貼付されたものは製造がしやすいものとなる。なお、近傍１２Ｂとは、上述の一般的な大きさのティシュペーパー収納箱であれば、底面部１２と短側面部１４との間の稜線から箱中央方向に向かって５ｃｍ程度の範囲内である。
【００３１】
ここで、電子タグ４１における固有情報としては、特に限定されないが、製造年月日、製造工場番号などの出所情報、品質情報、価格情報、ウェブアドレス情報等である。固有情報は複数種あってもよい。例えば、製造年月日、製造工場番号などの出所情報が電子タグに固有情報として存在している場合には、不良品の発生等があった場合に製造日時、製造工場、製造設備を特定することが可能となる。また、価格情報であれば、非接触でレジスターに価格を読み込ませることができる。また、ウェブアドレス情報であれば、読取装置に特定のウェブアドレスを表示させるようにすることができる。
【００３２】
ティシュペーパー収納体１に取り付けた電子タグ４１の固有情報をどのように取り扱い利用するかは本発明においては特に限定されないが、電子タグの固有情報をウェブアドレス情報として、読取装置で特定のホームページを表示させるようにし、そのホームページ上で使用者がティシュペーパー収納体の使用態様やティシュペーパーの柔らかさや滑らかさ等の評価を入力できるようにすれば、ティシュペーパー収納体にティシュペーパーの品質評価機能を付与することができる。従前使用の他社製品との対比としての情報収取することもできる。さらに、出所情報と合わせればどの工場のどの日時の生産の品質が良好であるかも特定することができる。
【００３３】
なお、読取装置は、電子タグ４１への第一電波の発信と、電子タグ４１が発信する第二電波の受信とを行えるものであればよい。つまり、電子タグへの電力供給と、電子タグから発信される固有情報を得るものであればよい。読取装置は、電子タグの読み取りに特化した専用端末であってもよいし、店舗のレジスター等に機能として付加される態様での装置であってもよい。また、スマートフォン等のウェブ表示が可能な画面と無線通信機能とを有する携帯端末であってもよい。なお、第一電波は、無線通信である、Ｂｌｕｅｔｏｏｔｈ（登録商標）やＷｉ−Ｆｉ（登録商標）等であってもよい。読取装置と電子タグ４１との通信可能範囲は、電子タグ４１が有する情報によって相違させることができる。価格情報や出所情報であれば、専用装置、レジスターでの読み取りを行うことになるので、半径約２〜６ｍ程度の球状の範囲とするのが望ましい。また、読取装置をスマートフォンとしてウェブを表示させるようにするのであれば、近接型の通信可能範囲として３０ｃｍの球状の範囲内とすることができる。
【００３４】
ここで、本実施形態に係るティシュペーパー束２の構成についても説明すると、本実施形態に係るティシュペーパー束２は、方形のティシュペーパー２ｔが実質的に二つ折りされ、その折り返し片の縁が上下に隣接するティシュペーパーの折り返し内面に位置するようにして、互い違いに重なり合いつつ積層されているものである。なお、ここで実質的にとは、製造上形成される縁部の若干の折り返しを許容する意味である。
【００３５】
この積層構造のティシュペーパー束２は、最上位に位置する一枚の折り返し片を上方に引き上げると、その直下で隣接する他の一枚の折り返し片が、摩擦により上方に引きずられて持ち上げられる。
【００３６】
そして、本実施形態のティシュペーパー収納体１では、かかる構造のティシュペーパー束２は、その最上面が上述の天面部１１に取出口２０Ｘを有する収納箱１０の当該上面に向かいあって収納され、前記取出口２０Ｘから最初の一組（最上面に位置する一組）が引き出されたときに、その直近下方に位置する他の一組の一部が露出される。なお、本実施形態におけるティシュペーパー２ｔの積層枚数は限定されないが、この種の製品の一般的な積層枚数を例示すれば、１２０〜２４０組である。このティシュペーパー束２は、マルチスタンド式、ロータリ式の既知のインターフォルダにより製造することができる。
【００３７】
ティシュペーパー束２を構成するティシュペーパー２ｔは、２枚〜３枚の薄葉紙が積層されたプライ構造を有する。
【００３８】
他方、本実施形態に係るティシュペーパー２ｔを構成する薄葉紙の原料パルプとしては、ＮＢＫＰ（針葉樹クラフトパルプ）とＬＢＫＰ（広葉樹クラフトパルプ）とを配合したものであり、適宜古紙パルプが配合されていてもよいが、風合いなどの点で、ＮＢＫＰとＬＢＫＰのみから構成されているのがよい。その場合配合割合としては、ＮＢＫＰ：ＬＢＫＰ＝２０：８０〜８０：２０がよく、特に、ＮＢＫＰ：ＬＢＫＰ＝３０：７０〜６０：４０が望ましい。
【００３９】
本発明に係るティシュペーパー２ｔの各プライを構成する薄葉紙１枚あたりの米坪は、好ましくは１０〜２５ｇ／ｍ2、より好ましくは１１〜１６ｇ／ｍ2である。米坪が１０ｇ／ｍ2未満では、柔らかさの向上の観点からは好ましいものの、使用に耐えうる十分な強度を適正に確保することが困難となる。逆に米坪が２５ｇ／ｍ2を超えると紙全体が硬くなるとともに、ゴワ付き感が生じてしまい肌触りが悪くなる。なお、米坪は、ＪＩＳ Ｐ ８１２４（１９９８）の米坪測定方法による。
【００４０】
他方、本発明に係るティシュペーパー２ｔの紙厚は、１００〜１８０μｍ、より好ましくは１２０〜１４０μｍであるのが望ましい。なお、ティシュペーパー２ｔが複数プライの場合は、複数プライで測定する。紙厚が１００μｍ未満では、柔らかさの向上の観点からは好ましいものの、ティシュペーパー２ｔとしての強度を適正に確保することが困難となる。また、１８０μｍ超では、ティシュペーパー２ｔの肌触りが悪化するとともに、使用時にゴワツキ感が生じるようになる。
【００４１】
なお、紙厚及びシート材３１，３２，３３の厚みの測定方法は、試験片をＪＩＳ Ｐ ８１１１（１９９８）の条件下で十分に調湿した後、同条件下でダイヤルシックネスゲージ（厚み測定器）「ＰＥＡＣＯＣＫ Ｇ型」（尾崎製作所製）を用いて測定するものとする。具体的には、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料を試験台の上におき、プランジャーをゆっくりと下ろしそのときのゲージを読み取る。このとき、プランジャーをのせるだけとする。プランジャーの端子は金属製で直径１０ｍｍの円形の平面が紙平面に対し垂直に当たるようにし、この紙厚測定時の荷重は、約７０ｇｆである。なお、厚みは測定を１０回行って得られる平均値とする。
【符号の説明】
【００４２】
１…ティシュペーパー収納体、２…ティシュペーパー束、２ｔ…ティシュペーパー、３…基材（カートン原紙）、１０…収納箱、１１…天面部、１２…底面部、１２Ａ…糊代部、  １３…長側面部、１４…短側面部、２０…取出口形成用ミシン目線、２０Ｘ…取出口、２０ａ…裂開用ミシン目線で囲まれる範囲（取出口形成部）、２１…取出口形成用ミシン目線の長辺、２２…裂開用ミシン目線の短辺、３０…スリット、３１…シート材、Ｆ１…長側面部から延在するフラップ、Ｆ２…底面部から延在するフラップ、Ｆ３…天面部から延在するフラップ、４０…接着剤、４１…電子タグ、４２…ＩＣチップ部、４３…アンテナ部、４４…隠蔽シート、Ｌ１…収納箱の長手縁の長さ、Ｌ２…収納箱の短手縁の長さ、Ｌ３…収納箱の高さ、５１〜５３…稜線。
【図１】
2019189308.tif 000003
【図２】
2019189308.tif 000004
【図３】
2019189308.tif 000005
【図４】
2019189308.tif 000006
【図５】
2019189308.tif 000007
【図６】
2019189308.tif 000008